(57)【特許請求の範囲】
【請求項１】
上方に集水口が形成され、側方に排水口が形成される集水筒部を備えてなる下水道用臭気防止装置において、
前記集水筒部の排水口回りには同一平面を形成する弁座部を有するとともに、前記弁座部は鉛直もしくは下方に向けて外方に傾斜し、前記排水口の上部の集水筒部には所定の孔径を有する複数の第１取付け孔が水平に相並んで開設され、
前記排水口の前面に配されて該排水口を開閉する硬質素材よりなるフラップ弁は、前記弁座部を覆う平板体の弁本体を有するとともに、該弁本体の上部には前記排水口の第１取付け孔に対応して第２取付け孔が同間隔をもって開設され、
前記排水口上部の第１取付け孔と前記フラップ弁の第２取付け孔とにわたって、弾性線材よりなり頭部の円環状のホック部より端部に向けてくびれ部と肩部と開脚部とが順次形成された取付けピンが装着され、
前記取付けピンの肩部の差渡し長さは自然状態で前記第１取付け孔の孔径よりも大きく、かつ、圧縮されて該第１取付け孔の孔径よりも小さくされ、
前記取付けピンの開脚部は端部に至るにつれ前記第１取付け孔の孔径よりも縮小され、
前記取付けピンのホック部は前記フラップ弁の第２取付け孔回りに係合され、該取付けピンのくびれ部は第１取付け孔内に遊嵌挿される、
ことを特徴とする下水道用臭気防止装置。
【請求項２】
上記フラップ弁は、平板体の弁本体の上部に外方に２つの平坦部によりく字状の屈曲部を有し、該屈曲部の上方の平坦部に第２取付け孔が開設される請求項１に記載の下水道用臭気防止装置。
【請求項３】
請求項１又は２のいずれかにおいて、集水口は方形の天板部に形成される下水道用臭気防止装置。
【請求項４】
請求項１又は２のいずれかにおいて、集水口は円形状の天板部に形成される下水道用臭気防止装置。
【請求項５】
上方に集水口が形成され、側方に排水口が形成される集水筒部を備えてなる下水道用臭気防止装置において、
前記集水筒部の排水口回りには同一平面を形成する弁座部を有するとともに、前記弁座部は鉛直もしくは下方に向けて外方に傾斜し、前記排水口の上部の集水筒部には所定の孔径を有する複数の第１取付け孔が水平に相並んで開設され、
前記排水口の前面に配されて該排水口を開閉する硬質素材よりなるフラップ弁は、前記弁座部を覆う平板体の弁本体を有するとともに、該弁本体の上部には前記排水口の第１取付け孔に対応して第２取付け孔が同間隔をもって開設され、
前記排水口上部の第１取付け孔と前記フラップ弁の第２取付け孔とにわたって取付けピンが装着され、
前記取付けピンは、前記フラップ弁を該フラップ弁の第２取付け孔を介して吊り下げるとともに、前記第１取付け孔より外れることなく揺動自在に保持する、
ことを特徴とする下水道用臭気防止装置。
【発明の詳細な説明】
【技術分野】
【０００１】
この発明は、雨水ます、汚水ます、更にはマンホール等の下水道用管きよ付属設備に使用され、下水本管からの臭気の逸出を防止する下水道用臭気防止装置に関し、更に詳しくは、これらの管きょ付属設備の蓋部分に用いられ、簡便に使用することのできる下水道用臭気防止装置に関する。
【背景技術】
【０００２】
本出願人は、この種の下水道用臭気防止装置につき、実公昭６１−２３１０５号公報（文献１）、実公昭６１−４１８２３号公報（文献２）、特開平１１−１３１２１号公報（文献３）及び特開平１１−５０５１９号公報（文献４）をもって提案したところである。
すなわち、既に提案した文献１の下水道用臭気防止装置においては、「集水孔を有する下水道用蓋において、前記集水孔に対応する前記下水道用蓋の下面に、上部が開放され、底部が流水の流下する傾斜面に形成されるとともに、前記傾斜面の向う側面に側方開口部を有し、前記側方開口部の端面に弁座が形成された有底箱状の集水受箱が取り付けられ、前記集水箱の側方開口部には、前記弁座を自重により常時閉弁し、前記集水受箱に流入する流水の水圧により開弁する弾性弁体が取り付けられてなる」構造を採るものである。これにより、下水本管内に発生する臭気は本装置により外部への逸出が阻止されるとともに、雨水に対しては弾性弁体が開弁し、排水機能を円滑に果たすものである。
しかして、これらの下水道用臭気防止装置においては、集水受箱（集水筒部）の側方開口部（排水口）をゴム素材の弾性弁体をもって開閉するものであり、長年の下水道雰囲気内にあって次第に劣化が進み、集水受箱本体の更なる再使用のため、該弾性弁体の取替えがなされる。
該弾性弁体の取替えは、該弁体の固定が嵌め合い（文献１，２）又は固定ピン（文献３，４）での強嵌合状態でなされており、該弁体の取外し、ひいては取付けも作業手間を要し困難を来すものである。そして、該弁体の強固定はまた、弁体の開閉動作を緩慢なものとし、作動性が悪く、改善が期待されている。
【特許文献１】実公昭６１−２３１０５号公報
【特許文献２】実公昭６１−４１８２３号公報
【特許文献３】特開平１１−１３１２１号公報
【特許文献４】特開平１１−５０５１９号公報
【発明の開示】
【発明が解決しようとする課題】
【０００３】
本発明は上記実情に鑑みなされたものであり、この種の下水道用臭気防止装置において、弁体の取付け及び取外し操作が簡便になされ、かつ弁体の作動が円滑になされる下水道用臭気防止装置を提供することを目的とする。
本発明はこのため、弁体を硬質素材に変更し、かつ該弁体の取付け手段を強嵌合から解放するという新規な着想を採ることにより、この目的を達成したものである。
併せて、従来のこの種の下水道用臭気防止装置におけるゴム弾性弁の取替えとの継続性も達成でき、再使用を図り得ることも他の目的とする。
【課題を解決するための手段】
【０００４】
本発明の下水道用臭気防止装置は、具体的には次の構成を採る。
すなわち、本発明の第１は、上方に集水口が形成され、側方に排水口が形成される集水筒部を備えてなる下水道用臭気防止装置において、
前記集水筒部の排水口回りには同一平面を形成する弁座部を有するとともに、前記弁座部は鉛直もしくは下方に向けて外方に傾斜し、前記排水口の上部の集水筒部には所定の孔径を有する複数の第１取付け孔が水平に相並んで開設され、
前記排水口の前面に配されて該排水口を開閉する硬質素材よりなるフラップ弁は、前記弁座部を覆う平板体の弁本体を有するとともに、該弁本体の上部には前記排水口の第１取付け孔に対応して第２取付け孔が同間隔をもって開設され、
前記排水口の第１取付け孔と前記フラップ弁の第２取付け孔とにわたって、弾性線材よりなり頭部の円環状のホック部より端部に向けてくびれ部と肩部と開脚部とが順次形成された取付けピンが装着され、
前記取付けピンの肩部の差渡し長さは自然状態で前記第１取付け孔の孔径よりも大きく、かつ、圧縮されて該第１取付け孔の孔径よりも小さくされ、
前記取付けピンの開脚部は端部に至るにつれ前記第１取付け孔の孔径よりも縮小され、
前記取付けピンのホック部は前記フラップ弁の第２取付け孔回りに係合され、該取付けピンのくびれ部は第１取付け孔内に遊嵌挿されることを特徴とする。
上記構成において、
1)フラップ弁は、平板体の弁本体の上部に外方に２つの平坦部によりく字状の屈曲部を有し、該屈曲部の上方の平坦部に第２取付け孔が開設されること、
2)排水口は方形状をなすこと、
3)第１取付け孔は円形であること、
は適宜採択される技術的事項である。
【０００５】
（作用）
本臭気防止装置の設置は、集水筒部を天板を介してまたは介さずに集水孔を有する雨水ます又は汚水ますの蓋部の下方に配して設置する。
本臭気防止装置の集水口は蓋部の集水孔に対応する位置に配される。
フラップ弁は取付けピンをもって吊設され、該フラップ弁自体の重量により弁座に当接し、排水口を塞ぐ。フラップ弁の流水圧による開放は取付けピン回りに揺動し、無理な応力を生じない。取付けピンはまた、第１取付け孔でそのくびれ部が遊嵌把持され、自由な動きを許容する。
下水道から生じる臭気は、フラップ弁の閉弁により阻止される。降雨による流入水は集水筒部の内方から排水口に向けて流れ、フラップ弁を開く。
本装置の組立てにおいて、フラップ弁の集水筒部への装着操作は、取付けピンを第２取付け孔に差し通し、該取付けピンの開脚部から第１取付け孔内へ押し込むことによりなされる。このとき、取付けピンの開脚部は外力の圧縮力をもってその幅をせばめる（圧縮変形）ことにより押込み操作は容易になされる。取付けピンは元形状に復し、その肩部が第１取付け孔の孔径よりも大きくなり、抜け出ない。
取外しにおいては、圧縮力をもって取付けピンの幅をせばめ、第１取付け孔より引き抜くことにより、容易になされる。
【０００６】
本発明の第２は、上方に集水口が形成され、側方に排水口が形成される集水筒部を備えてなる下水道用臭気防止装置において、
前記集水筒部の排水口は回りには同一平面を形成する弁座部を有するとともに、前記弁座部は鉛直もしくは下方に向けて外方に傾斜し、前記排水口の上部の集水筒部には所定の孔径を有する複数の第１取付け孔が水平に相並んで開設され、
前記排水口の前面に配されて該排水口を開閉する硬質素材よりなるフラップ弁は、前記弁座部を覆う平板体の弁本体を有するとともに、該弁本体の上部には前記排水口の第１取付け孔に対応して第２取付け孔が同間隔をもって開設され、
前記排水口の第１取付け孔と前記フラップ弁の第２取付け孔とにわたって取付けピンが装着され、
前記取付けピンは、前記フラップ弁を該フラップ弁の第２取付け孔を介して吊り下げるとともに、前記第１取付け孔より外れることなく揺動自在に保持することを特徴とする。
本第２発明は、取付けピンが特定の形状に限定されるものではなく、フラップ弁の枢着部での揺動自在性等の所定の機能を備えるものであればよいことを確認するものである。図１１に示す吊下げワイヤー態様は本発明に属する。
【発明の効果】
【０００７】
本発明の下水道用臭気防止装置によれば、フラップ弁は従来のゴム弾性弁のようなめくれ、反りが生じず、長期間良好な防臭作用が持続できる。また、フラップ弁は枢着部により吊下げ保持され、該フラップ弁の開閉につき、その枢着部には無理な応力が加わらず、開閉が円滑になされる。
本防臭装置によれば本フラップ弁の装着は、取付けピンの作用とともに旧来のゴム弾性弁を有する臭気防止装置に適用され、旧来の臭気防止装置の再使用が実現される。
【０００８】
加えて、第１発明の下水道用臭気防止装置によれば、集水筒部の排水口へのフラップ弁の取付け及び取外しを、取付けピンの弾性に抗して一定の外力を加えることにより容易になされ、作業効率の向上に寄与する。また、取付けピンの自然弾性状態ではフラップ弁は集水筒部から容易に外れることはなく、頑丈なフラップ弁の取付け構造が得られる。
【発明を実施するための最良の形態】
【０００９】
本発明の下水道用臭気防止装置の実施の形態を図面に基づいて説明する。
図１〜図８は本発明の下水道用臭気防止装置の一実施形態を示す。すなわち、図１〜図３は本下水道用臭気防止装置Ｓの全体の各側面構成を示し、図４〜図８は本下水道用臭気防止装置Ｓの各部の構成を示す。
【００１０】
図１〜図３に示すとおり、この下水道用臭気防止装置（以下「臭気防止装置」という）Ｓは、天板部１、及び２つの側面板２と上下の前面板３，４と底面板５とからなる集水筒部６を含み、該集水筒部６の下部前面板４にフラップ弁７が取付けピン８を介して装着されてなる。天板部１と集水筒部６とにより、本臭気防止装置Ｓの「箱体」を構成する。
本臭気防止装置Ｓにおいて、流水の吐出される排水口すなわちフラップ弁７の配される側を前部とし、本装置自体をもって左右とする。
【００１１】
以下、各部の細部構成を説明を説明する。
天板部１（図１〜図３参照）
天板部１は、中央においてやや後部寄りに矩形状の挿入口１ａを有する矩形平板状をなす。また、その縁部をもって雨水ますの本体の上縁部に載置される。
該天板部１は図例では平面形状が矩形状をなすが、場合によっては円形状も採りうるものである。
【００１２】
集水筒部６（図１〜図３参照）
集水筒部６は、所定間隔をもって相対峙して配される右左の側面板２、該側面板２の前端に跨がって配される上下の前面板３，４、及び該側面板２の底辺に跨がって配される底面板５の組合わせよりなり、箱空間を形成する。しかして、該集水筒部６は上部が天板部１の挿入口１ａに連通する集水口６ａに形成される。集水筒部６には前面に排水口６ｂが形成され、集水口６ａから流入した雨水は内部空間を通って排水口６ｂより流れ出る。
上下の前面板３，４は、本集水筒部６の側面形状を決める側面板２の前端形状に対応して該側面板２の屈折部を境にして、上下に分かれるが、側面板２の前端形状が直線状であれば上下が一体化され、１枚ものであってもよい。また、底面板５も側面板２の下端形状に対応して曲面状となるが、側面板２の下端が直線状であれば平坦形状を採る。
【００１３】
（側面板２）
側面板２は、所定の形状をなし、所定間隔をもって相対峙して配される。図例では前端部がくびれを有するが、特にこの形状に限定されるものでないことは前述のとおりである。底部についても同様である。
（上部前面板３）
上部前面板３は、側面板２の前端の上部において側面板２間に跨がって配される。該上部前面板３は図例では下部前面板４と別体となっているが、下部前面板４と一体化されうることは前述のとおりである。
【００１４】
（下部前面板４）
下部前面板４は、側面板２の前端の下部において側面板２間に跨がって配されるとともに、排水口６ｂとしての開口が形成され、該開口６ｂ回りに弁体の着座する突条の弁座１０が突設される。弁座１０は同一平面をなす。弁座１０は鉛直面とαの傾斜をなし、下方に向けて外方に傾斜する。なお、αは０°すなわち鉛直状であってもよい。突条体としての弁座１０は場合によっては省略され得るが、この場合には下部前面板４の平坦面が弁座の機能を果す。
該下部前面板４の上部は、複数（少なくとも２、本実施形態では４）の第１の取付け孔１２が同一水準を保って開設される。該取付け孔１２の孔径Ａは同一寸法にされ、後記する取付けピン２８との関係を保つ。
【００１５】
（底面板５）
底面板５は、側面板２の下端部において、該側面板２間に跨がって配される。該底面板５の条面には適宜流水の流下を導く縦条が形成されるが、任意的事項である。
【００１６】
以上の天板１及び集水筒部６を構成する各部材２，３，４，５は、金属製の薄板が使用される。そのような金属薄板として、通常はトタン（亜鉛メッキ鋼板）、ブリキ板（すずメッキ鋼板）が使用される。特にはステンレスが好適である。これらの薄板の接合部は折返し部をもって、ねじ締め、あるいは溶接をもって接合される。
なお、金属素材に限定されず、他の素材（例えば合成樹脂材）の使用を妨げるものではない。
更には、これらの部材をもって先の文献３，４に示すとおり、組立て式にすることも妨げるものではない。
【００１７】
フラップ弁７（図４、図５参照）
フラップ弁７は、硬質素材をもって形成され、所定の形状を有し、所定の取付け状態並びに関係位置をもって前面板４に装着され、かつ該前面板４の排水口６ｂを開閉する。
該フラップ弁の素材は、硬質性の要請から金属あるいは硬質合成樹脂が使用されるが、更に防錆性の観点からステンレス鋼が推奨される。
図４は該フラップ弁７の平面形状を示し、図５はその側面ないしは側断面形状を示す。
該フラップ弁７は、１枚の平板体から形成され、下方の大部分を占める平板部１４と上部の屈曲部１５とからなる。平板部１４は弁座１０を十分に覆う広さを有する。屈曲部１５は上部屈曲部１５ａと下部屈曲部１５ｂとから構成され、上部屈曲部１５ａ及び下部屈曲部１５ｂ自体は平板状をなす。上部屈曲部１５ａと下部屈曲部１５ｂとは適宜角度をもって折り曲げられる。
該フラップ弁７の上部屈曲部１５ａには第２取付け孔１７が開設される。該第２取付け孔１７は第１取付け孔１２に対応し、同間隔の位相を採る。該取付け孔１７の孔径は格別の条件はなく、要は後記する取付けピン８の差し通しを許容しえればよい。
留意すべきは、該取付け孔１２の上縁と上部屈曲部１５ａの上縁との間隔距離が、後記する取付けピン８の差し通しを許容することであり、該取付けピン８のフック部の内径より小さいことである。
該フラップ弁７の屈曲部１５ａは取付けピン８との装着性を配慮したもので、場合によっては屈曲部１５を廃し、平板部１４からの直接的な延長としての平板体であってもよい。また、曲面状であってもよい。
該フラップ弁７はステンレス鋼製であることが好ましい。
【００１８】
取付けピン８（図６参照）
取付けピン８は、１本の金属線をもって成形され、中央で円環状をなすいわゆるホック部８ａをもって折り曲げられ、中間の凹曲状のくびれ部８ｂ、肩部８ｃ、及び末端の開脚部８ｄより構成される。この形状は金属線を塑性変形して得られるものであり、全体として若干の弾性を発揮する。
該取付けピン８は所定の強度と硬度を有し、若干の弾性を有することを基本とする。
これらの各部８ａ，８ｂ，８ｃ，８ｄは取付け孔１２，１７と所定の寸法関係を有する。
図６において、Ｈはホック部８ａの外径寸法、Ｈ’はホック部８ａの内径寸法、Ｉはくびれ部８ｂの外形寸法、Ｊは肩部８ｃの外形寸法、Ｋは脚部８ｄの端部の外形寸法を示す。ホック部８ａの内径寸法Ｈ’は、フラップ弁７の上縁と第２取付け孔１７の上縁との距離よりも大きい。肩部８ｃの外径寸法Ｊは自然状態（非圧縮状態）で第１取付け孔１２の孔径Ａより大きく、圧縮状態で第１取付け孔１２の孔径Ａより小さい。
該取付けピン８は本実施形態では金属線よりなるが、他の素材（例えば合成樹脂材）の使用を妨げるものではない。この場合において、全体的に弾性を発揮するものであることは上述のとおりである。
【００１９】
本実施形態において、上記した構成のフラップ弁７を取付けピン８を介して前面板４へ取り付ける装着態様に特徴を有する。
図７・図８はその取付け・装着態様を示す。
先ず取付けピン８をフラップ弁７の第２取付け孔１７に差し通して、ホック部８ａをもってフラップ弁７を吊り下げ、開脚部８ｄを下部前面板４の前面から第１取付け孔１７に挿入してフラップ弁７を装着する。取付けピン８の肩部８ｃの外形寸法Ｊは第１取付け孔１２の孔径Ａより大きく、該第２取付け孔１７より容易に抜け出ることはない。取付けピン８の凹曲部８ｂの外形寸法Ｉは第１取付け孔１２の孔径Ａより小さく、取付けピン８は遊びを存して緩嵌挿されてなる。
これにより、フラップ弁７は取付けピン８を介して前面板４に脱落することなく止着される。もっと言えば、フラップ弁７は取付けピン８により吊設されるとともに、取付けピン８も第１取付け孔１２内に遊動自在に取り付けられ、フラップ弁７の揺動を保障する。フラップ弁７は揺動自在に取付けピン８に吊設されるが、どの状態にあってもその平板部１４が弁座１０に当接し、密閉状態を保つ。
【００２０】
フラップ弁７の取付け・取外し操作
本フラップ弁７の集水筒部６への取付け操作は次の手順、要領をもってなされる。なお、本操作は工場・現場を問わない。
取付け
先ず取付けピン８をフラップ弁７の第２取付け孔１７に差し通して、ホック部８ａをもってフラップ弁７を吊り下げる。
フラップ弁７を集水筒部６の前面に臨ませ、所定状態に保持し、その第１取付け孔１２に取付けピン８の開脚部８ｄより差し込む。強い力をもって取付けピン８を押し込むことにより肩部８ｃは縮径し挿入されるが、人力または適宜の挟着具を使用して該取付けピン８を圧縮することもできる。
第１及び第２取付け孔１２，１７相互の対応が定まっているので、フラップ弁７は取付けピン８を介して所定の取付け状態に保持される。
取外し
取付けピン８をその弾性に抗して縮径し、該取付けピン８の肩部８ｃを第１取付け孔１２から引き抜き、フラップ弁７を取り外す。
取替え
旧来の既設の臭気防止装置において、老朽化もしくは損傷した弾性弁体を取り替える場合、旧来の臭気防止装置の旧取付け孔位置は本臭気防止装置Ｓと同位置にあり、旧位置をそのまま利用できるものであり、弾性弁体を取り外して該上記の取付け操作によりフラップ弁の取付けが容易になされる。
既設の本臭気防止装置Ｓではフラップ弁７の取替え操作は更に容易である。
【００２１】
（本臭気防止装置Ｓの設置）
叙上の構成よりなる本臭気防止装置Ｓは雨水ます・汚水ますに対して、次の要領で設置される。
図９はその設置要領を示し、図においてＭは雨水ます、Ｒは道路面、Ｐは舗道面である。雨水ますＭは本体１００と該本体１００の上縁に載置される蓋体１０２とからなり、該本体１００下部から道路下の下水道本管に連通する取付け管１０４が配される。蓋体１０２には集水孔１０２ａが開設される。本臭気防止装置Ｓは、その天板部１の縁部を雨水ますＭの本体１００の上縁に載置し、集水筒部６を内部空間に配し、蓋体１０２を天板部１上に載置する。天板部１は薄板をなすので、蓋体１０２の設置に何らの影響を与えない。
【００２２】
（本臭気防止装置Ｓの機能）
取付け管１０４から発生する臭気は、本臭気防止装置Ｓにおけるフラップ弁７により閉塞され、地上へは逸出しない。
降雨において、雨水は蓋体１０２の集水孔１０２ａより流入し、本臭気防止装置Ｓの集水口６ａより集水筒部６内に流れ込み排水口６ｂに至る。この流水圧は排水口６ｂにおけるフラップ弁７を開き、雨水は雨水ますＭから取付け管１０４を介して下水道本管へ流れ出る。
【００２３】
（本臭気防止装置Ｓの効果）
本実施形態の下水道用臭気防止装置Ｓによれば、そのフラップ弁７は上述した取付け・取外し操作をもって、取付けピン８の加力のみで容易になされ、良好な作業性を発揮する。また、取付けピン８の自然弾性状態ではフラップ弁７は集水筒部６の第１取付け孔１２から容易に外れることはなく、フラップ弁７は強固に集水筒部６に取り付けられるものである。更に、フラップ弁７の開閉につき、その枢着部には無理な応力が加わらず、開閉が円滑になされる。
本フラップ弁７の装着は、取付けピン８の作用とともに旧来のゴム弾性弁を有する臭気防止装置に適用され、旧来の臭気防止装置の再使用が実施される。
また、本臭気防止装置Ｓを設置した汚水ますは、建物内からの汚水流入管を有する外は図９と実質的に同一構成をなし、その蓋部１０２は旧来の密閉型と異なり、集水孔１０２ａを有するものが使用され、場合によってはグレーチングの使用も可能である。そして、この汚水ますでは臭気の外部への逸出が防止されるとともに、降雨において集水がなされ、地域での集水機能の増大化に寄与し、画期的である。
【００２４】
図９に示す雨水ます・汚水ますはその蓋体１０２が方形状をなし、これに対して本臭気防止装置Ｓの天板部１も方形状をなすが、雨水ます・汚水ますの蓋体１０２が円板状をなす場合にあっては本臭気防止装置Ｓの天板部１も円板状を採る。この臭気防止装置Ｓにおいては、挿入口１ａを含めそれ以外の構成は先の実施例の態様に準じる。この場合においては円形蓋体１０２の集水口１０２ａは円形天板部１の挿入口１ａの領域内に含まれることは勿論である。
【００２５】
本発明は叙上の実施の形態にのみ限定されるものではなく、本発明の基本的技術思想の範囲内で種々設計変更が可能である。すなわち、以下の態様は本発明の技術的範囲内に包含される。
1)叙上の実施形態では取付けピン８の肩部８ｃは曲面状に形成されてなるが、該取付けピン８の肩部８ｃに突起を設けることにより、該取付けピン８の第１取付け孔１２からの抜け出しがより確実に阻止される。
2)取付けピンにいわゆる「洋灯吊りボルト」を使用すること。
図１０にその一例示を示す。該図は図８に相当するものであって、洋灯吊りボルト２０を使用したフラップ弁７の装着状態を示す。該洋灯吊りボルト２０はホック部２０ａ、直杆部２０ｂ、ねじ部２０ｃよりなり、２０ｄはフック部２０ａの切れ目である。該洋灯吊りボルト２０はナット２１及びワッシャー（図示せず）と一対となって使用される。ワッシャーは適宜省略されうる。前面板４及びフラップ弁７の構成については特に変わるところはなく、前面板４には第１取付け孔１２が、フラップ弁７には第２取付け孔１７がそれぞれ形成される。
この態様において、各洋灯吊りボルト２０はその直杆部２０ｂを第１取付け孔１２に挿通され、ナット２１をねじ部２０ｃに締め込んで固定される。しかる後、フラップ弁７を第２取付け孔１７を介して該洋灯吊りボルト２０の切れ目２０ｄから挿し込み、ホック部２０ａに係合させ、フラップ弁７を吊り下げ保持する。
3)図１１は取付けピンの別の態様を示す。該図も図８に相当する。本態様において、前面板４の第１取付け孔１２に所定長さの金属ワイヤー２３が挿通され、該取付け孔１２を挟んでワイヤー２３を挿通しうる穴を有するワッシャー２４を配し、更にその両側に金属塑性リング２５（フラップ弁側リング２５ａ、前面板４側リング２５ｂ）を嵌装する。フラップ弁側リング２５ａ側については、ワイヤー２３をフラップ弁７の第２取付け孔１７に挿し通し、その折り返し部を該リング２５ａに挿し通し、しかる後リング２５ａを圧縮変形させてワイヤー２３を固定する。前面板４側リング２５ｂ側についても、ワイヤー２３を折り返し、リング２５ｂに挿し通し、しかる後リング２５ｂを圧縮変形させてワイヤー２３を固定する。ワッシャー２４によりこの吊下げワイヤー２３の抜出しが阻止される。
この吊下げワイヤー２３の態様においては、ワイヤー２３は屈撓性を示し、フラップ弁７を自在に吊し、またその装着作業も容易である。
【図面の簡単な説明】
【００２６】
【図１】本発明の下水道用臭気防止装置の一実施形態の平面図（図２、図３の１方向矢視図）。
【図２】その正面図（図１、図3 の２方向矢視図）。
【図３】その側面図（図１、図２の３方向矢視図）。
【図４】フラップ弁の一部省略正面図。
【図５】図４の５方向矢視図。
【図６】取付けピンの平面図。
【図７】本フラップ弁の装着状態を示す断面図。
【図８】図７の部分拡大図。
【図９】本下水道用臭気防止装置の雨水ますへの設置要領を示す図。
【図１０】本下水道用臭気防止装置の他の様態を示す部分断面図。
【図１１】本下水道用臭気防止装置の更に他の様態を示す部分断面図。
【符号の説明】
【００２７】
Ｍ…下水道管渠用枡、Ｓ…下水道管渠用防臭装置、１…天板部、３，４…前面板、６…集水筒部、６ｂ…排水口、７…フラップ弁、８…取付けピン、８ａ…ホック部、８ｂ…くびれ部、８ｃ…肩部、８ｄ…開脚部、１２…第１取付け孔、１７…第２取付け孔、２０…洋灯吊りボルト、２３…吊下げワイヤー
【図１】
0004651021.tif 000002
【図２】
0004651021.tif 000003
【図３】
0004651021.tif 000004
【図４】
0004651021.tif 000005
【図５】
0004651021.tif 000006
【図６】
0004651021.tif 000007
【図７】
0004651021.tif 000008
【図８】
0004651021.tif 000009
【図９】
0004651021.tif 000010
【図１０】
0004651021.tif 000011
【図１１】
0004651021.tif 000012